(57)【要約】【課題】  本発明は、睡眠習慣の改善により有効に利用できるシステムの提供を目的とする。【解決手段】  本発明の睡眠関連情報共有システムは、複数のユーザの端末に、ネットワークを介して接続され、ユーザ情報記憶手段、および情報提供手段を有し、前記ユーザ情報記憶手段は、前記端末から受信した、ユーザのユーザ識別情報と、前記ユーザの睡眠関連情報と、前記各情報に関する他のユーザに対する共有の可否情報とを、関連付けて記憶する手段であり、前記情報提供手段は、前記ユーザ識別情報および前記睡眠関連情報のうち前記共有可の情報を、共有情報として、前記各ユーザの端末に送信する手段であることを特徴とする。【選択図】  図１
2018163620.tif 000002
【特許請求の範囲】
【請求項１】
複数のユーザの端末に、ネットワークを介して接続され、
ユーザ情報記憶手段、および
情報提供手段を有し、
前記ユーザ情報記憶手段は、
前記端末から受信した、ユーザのユーザ識別情報と、前記ユーザの睡眠関連情報と、前記各情報に関する他のユーザに対する共有の可否情報とを、関連付けて記憶する手段であり、
前記情報提供手段は、
前記ユーザ識別情報および前記睡眠関連情報のうち前記共有可の情報を、共有情報として、前記各ユーザの端末に送信する手段であることを特徴とする睡眠関連情報共有システム。
【請求項２】
さらに、投稿情報記憶手段を有し、
前記投稿情報記憶手段は、
前記端末から受信した、所定のユーザの共有情報に対する、前記所定のユーザのコメントおよび他のユーザのコメントを記憶する手段であり、
前記情報提供手段は、
前記共有情報として、さらに、前記所定のユーザのコメントおよび前記他のユーザのコメントを、前記各ユーザの端末に送信する、請求項１記載の睡眠関連情報共有システム。
【請求項３】
前記投稿情報記憶手段は、さらに、
前記コメントと、前記コメントの送信元のユーザの睡眠関連情報とを、関連付けて記憶し、
前記コメントと、前記コメントの対象である前記所定のユーザの睡眠関連情報とを、連付けて記憶し、
前記コメントと、前記コメントに対するコメントとを、関連付けて記憶する、請求項１または２記載の睡眠関連情報共有システム。
【請求項４】
さらに、優先順位決定手段を有し、
前記優先順位決定手段は、
前記所定のユーザの共有情報に対する前記コメントについて、優先順位を決定する手段であり、
前記情報提供手段は、
前記コメントを、前記優先順位に基づく表示となるように、前記各ユーザの端末に送信する、請求項１から３のいずれか一項に記載の睡眠関連情報共有システム。
【請求項５】
前記優先順位決定手段は、前記所定のユーザの共有情報に対する前記コメントについて、その優先順位を、
前記コメントに対するコメントが少ない順、
前記コメントの送信元であるユーザの前記睡眠関連情報の入力率が低下している順、
前記コメントの内容の深刻度が高い順、または、
前記コメントの送信元であるユーザの前記睡眠関連情報に対するコメントの必要性が高い順
に決定する、請求項４記載の睡眠関連情報共有システム。
【請求項６】
前記優先準備決定手段は、前記所定のユーザの共有情報に対する前記コメントについて、その優先順位を、
前記コメントの送信元であるユーザの前記睡眠関連情報の有用性が高い順
に決定する、請求項４記載の睡眠関連情報共有システム。
【請求項７】
ユーザ情報記憶工程、および
情報提供工程を有し、
複数のユーザの端末に、ネットワークを介して接続された状態で、
前記ユーザ情報記憶工程は、
前記端末から受信した、ユーザのユーザ識別情報と、前記ユーザの睡眠関連情報と、前記各情報に関する他のユーザに対する共有の可否情報とを、関連付けて記憶する工程であり、
前記情報提供工程は、
前記ユーザ識別情報および前記睡眠関連情報のうち前記共有可の情報を、共有情報として、前記各ユーザの端末に送信する工程であることを特徴とする睡眠関連情報共有方法。
【請求項８】
さらに、投稿情報記憶工程を有し、
前記投稿情報記憶工程は、
前記端末から受信した、所定のユーザの共有情報に対する、前記所定のユーザのコメントおよび他のユーザのコメントを記憶する工程であり、
前記情報提供工程は、
前記共有情報として、さらに、前記所定のユーザのコメントおよび前記他のユーザのコメントを、前記各ユーザの端末に送信する、請求項７記載の睡眠関連情報共有方法。
【請求項９】
前記投稿情報記憶工程は、さらに、
前記コメントと、前記コメントの送信元のユーザの睡眠関連情報とを、関連付けて記憶し、
前記コメントと、前記コメントの対象である前記所定のユーザの睡眠関連情報とを、関連付けて記憶し、
前記コメントと、前記コメントに対するコメントとを、関連付けて記憶する、請求項７または８記載の睡眠関連情報共有方法。
【請求項１０】
さらに、優先順位決定工程を有し、
前記優先順位決定工程は、
前記所定のユーザの共有情報に対する前記コメントについて、優先順位を決定する工程であり、
前記情報提供工程は、
前記コメントを、前記優先順位に基づく表示となるように、前記各ユーザの端末に送信する、請求項７から９のいずれか一項に記載の睡眠関連情報共有方法。
【請求項１１】
前記優先順位決定工程は、前記所定のユーザの共有情報に対する前記コメントについて、その優先順位を、
前記コメントに対するコメントが少ない順、
前記コメントの送信元であるユーザの前記睡眠関連情報の入力率が低下している順、
前記コメントの内容の深刻度が高い順、または、
前記コメントの送信元であるユーザの前記睡眠関連情報に対するコメントの必要性が高い順
に決定する、請求項１０記載の睡眠関連情報共有方法。
【請求項１２】
前記優先準備決定工程は、前記所定のユーザの共有情報に対する前記コメントについて、その優先順位を、
前記コメントの送信元であるユーザの前記睡眠関連情報の有用性が高い順
に決定する、請求項１０記載の睡眠関連情報共有方法。
【請求項１３】
請求項７から１２のいずれか一項に記載の睡眠関連情報共有方法をコンピュータに実行させることを特徴とするプログラム。
【請求項１４】
請求項１３記載のプログラムを記録したコンピュータ読み取り可能な記録媒体。
【発明の詳細な説明】
【技術分野】
【０００１】
本発明は、睡眠関連情報共有システム、睡眠関連情報共有方法、プログラム、および記録媒体に関する。
【背景技術】
【０００２】
不眠症状を伴う睡眠障害は、例えば、外因性、内因性等の様々な原因によって分類されている。その中でも、内因性（精神性）の睡眠障害として、慢性不眠障害がある。この慢性不眠障害については、ＣＢＴ−Ｉ（不眠のための認知行動療法）が知られており、高い寛解率、効果の高い持続性が得られている。ＣＢＴ−Ｉは、不眠症状を認知し、睡眠に関連する行動を見直し、正していく治療方法である。このように、睡眠にする行動を知ることは、快適な睡眠を得るだけでなく、慢性不眠障害を治療していく上でも有用である。
【０００３】
このような背景から、睡眠習慣を記録するアプリケーションが提供されている。このアプリケーションによれば、睡眠に関連する行動と、自分の睡眠との関連性を知り、自己の睡眠習慣の管理、改善が可能になる。
【発明の概要】
【発明が解決しようとする課題】
【０００４】
しかし、前記アプリケーションによれば、ユーザが自己の睡眠習慣を知り、管理するにとどまっている。
【０００５】
そこで、本発明は、睡眠習慣の改善により有効に利用できるシステムの提供を目的とする。
【課題を解決するための手段】
【０００６】
前記目的を達成するために、本発明の睡眠関連情報共有システムは、
複数のユーザの端末に、ネットワークを介して接続され、
ユーザ情報記憶手段、および
情報提供手段を有し、
前記ユーザ情報記憶手段は、
前記端末から受信した、ユーザのユーザ識別情報と、前記ユーザの睡眠関連情報と、前記各情報に関する他のユーザに対する共有の可否情報とを、関連付けて記憶する手段であり、
前記情報提供手段は、
前記ユーザ識別情報および前記睡眠関連情報のうち前記共有可の情報を、共有情報として、前記各ユーザの端末に送信する手段であることを特徴とする。
【０００７】
本発明の睡眠関連情報共有方法は、
ユーザ情報記憶工程、および
情報提供工程を有し、
複数のユーザの端末に、ネットワークを介して接続された状態で、
前記ユーザ情報記憶工程は、
前記端末から受信した、ユーザのユーザ識別情報と、前記ユーザの睡眠関連情報と、前記各情報に関する他のユーザに対する共有の可否情報とを、関連付けて記憶する工程であり、
前記情報提供工程は、
前記ユーザ識別情報および前記睡眠関連情報のうち前記共有可の情報を、共有情報として、前記各ユーザの端末に送信する工程であることを特徴とする。
【０００８】
本発明のプログラムは、前記本発明の睡眠関連情報共有方法をコンピュータに実行させることを特徴とする。
【０００９】
本発明の記録媒体は、前記本発明のプログラムを記録したコンピュータ読み取り可能である。
【発明の効果】
【００１０】
本発明によれば、ユーザが自己の睡眠情報を記憶させて管理するだけでなく、ネットワークを介して、他のユーザとの間で、自己または他者の睡眠情報を共有することができる。このため、自己の睡眠情報だけでなく、例えば、他者の睡眠情報も参照することができ、より良い睡眠習慣への改善に有用である。
【図面の簡単な説明】
【００１１】
【図１】図１は、実施形態１の睡眠関連情報共有システムの一例を示すブロック図である。
【図２】図２は、実施形態１の睡眠関連情報共有システムのその他の例を示すブロック図である。
【図３】図３は、実施形態１の睡眠関連情報共有システムのその他の例を示すブロック図である。
【図４】図４は、実施形態１の睡眠関連情報共有方法の一例を示すフローチャートである。
【図５】図５は、実施形態２の睡眠関連情報共有システムのその他の例を示すブロック図である。
【図６】図６は、実施形態２の睡眠関連情報共有方法の一例を示すフローチャートである。
【図７】図７は、実施形態３の睡眠関連情報共有システムのその他の例を示すブロック図である。
【図８】図８は、実施形態３の睡眠関連情報共有方法の一例を示すフローチャートである。
【発明を実施するための形態】
【００１２】
本発明の睡眠関連情報共有システムは、例えば、さらに、投稿情報記憶手段を有し、
前記投稿情報記憶手段は、前記端末から受信した、所定のユーザの共有情報に対する、前記所定のユーザのコメントおよび他のユーザのコメントを記憶する手段であり、
前記情報提供手段は、前記共有情報として、さらに、前記所定のユーザのコメントおよび前記他のユーザのコメントを、前記各ユーザの端末に送信する
【００１３】
本発明の睡眠関連情報共有システムにおいて、例えば、前記投稿情報記憶手段は、さらに、
前記コメントと、前記コメントの送信元のユーザの睡眠関連情報とを、関連付けて記憶し、
前記コメントと、前記コメントの対象である前記所定のユーザの睡眠関連情報とを、関連付けて記憶し、
前記コメントと、前記コメントに対するコメントとを、関連付けて記憶する。
【００１４】
本発明の睡眠関連情報共有システムは、例えば、さらに、優先順位決定手段を有し、
前記優先順位決定手段は、前記所定のユーザの共有情報に対する前記コメントについて、優先順位を決定する手段であり、
前記情報提供手段は、前記コメントを、前記優先順位に基づく表示となるように、前記各ユーザの端末に送信する。
【００１５】
本発明の睡眠関連情報共有システムにおいて、例えば、前記優先順位決定手段は、前記所定のユーザの共有情報に対する前記コメントについて、その優先順位を、
前記コメントに対するコメントが少ない順、
前記コメントの送信元であるユーザの前記睡眠関連情報の入力率が低下している順、
前記コメントの内容の深刻度が高い順、または、
前記コメントの送信元であるユーザの前記睡眠関連情報に対するコメントの必要性が高い順
に決定する。
【００１６】
本発明の睡眠関連情報共有システムにおいて、例えば、前記優先準備決定手段は、前記所定のユーザの共有情報に対する前記コメントについて、その優先順位を、前記コメントの送信元であるユーザの前記睡眠関連情報が有用である順に決定する。
【００１７】
本発明の睡眠関連情報共有方法は、例えば、さらに、投稿情報記憶工程を有し、前記投稿情報記憶工程は、前記端末から受信した、所定のユーザの共有情報に対する、前記所定のユーザのコメントおよび他のユーザのコメントを記憶する工程であり、前記情報提供工程は、前記共有情報として、さらに、前記所定のユーザのコメントおよび前記他のユーザのコメントを、前記各ユーザの端末に送信する。
【００１８】
本発明の睡眠関連情報共有方法において、例えば、前記投稿情報記憶工程は、さらに、
前記コメントと、前記コメントの送信元のユーザの睡眠関連情報とを、関連付けて記憶し、
前記コメントと、前記コメントの対象である前記所定のユーザの睡眠関連情報とを、関連付けて記憶し、
前記コメントと、前記コメントに対するコメントとを、関連付けて記憶する。
【００１９】
本発明の睡眠関連情報共有方法は、例えば、さらに、優先順位決定工程を有し、前記優先順位決定工程は、前記所定のユーザの共有情報に対する前記コメントについて、優先順位を決定する工程であり、前記情報提供工程は、前記コメントを、前記優先順位に基づく表示となるように、前記各ユーザの端末に送信する。
【００２０】
本発明の睡眠関連情報共有方法において、例えば、前記優先順位決定工程は、前記所定のユーザの共有情報に対する前記コメントについて、その優先順位を、
前記コメントに対するコメントが少ない順、
前記コメントの送信元であるユーザの前記睡眠関連情報の入力率が低下している順、
前記コメントの内容の深刻度が高い順、または、
前記コメントの送信元であるユーザの前記睡眠関連情報に対するコメントの必要性が高い順
に決定する。
【００２１】
本発明の睡眠関連情報共有方法において、例えば、前記優先準備決定工程は、前記所定のユーザの共有情報に対する前記コメントについて、その優先順位を、前記コメントの送信元であるユーザの前記睡眠関連情報が有用である順に決定する。
【００２２】
つぎに、本発明の実施形態について説明する。なお、本発明は、以下の実施形態には限定されない。なお、以下の各図において、同一部分には、同一符号を付している。また、各実施形態の説明は、特に言及がない限り、互いの説明を援用できる。さらに、各実施形態の構成は、特に言及がない限り、組合せ可能である。
【００２３】
［実施形態１］
本発明の睡眠関連情報共有システムの一例について、図を用いて説明する。図１は、本実施形態の共有システム１０の一例の構成を示すブロック図である。システム１０は、ユーザ情報記憶手段１１、および情報提供手段１２を有する。
【００２４】
共有システム１０は、図２に示すように、複数のユーザのそれぞれが有する端末２０とネットワーク３０を介して接続している。ネットワーク３０は、通信回線網であり、特に制限されず、公知のネットワークを使用でき、例えば、有線でも無線でもよい。ネットワーク３０は、例えば、インターネット回線、電話回線、ＬＡＮ（Ｌｏｃａｌ  Ａｒｅａ  Ｎｅｔｗｏｒｋ）等があげられる。共有システム１０は、睡眠関連情報共有装置ということもできる。端末２０は、特に制限されず、例えば、携帯電話、スマートフォン、タブレット、ＰＣ等があげられる。
【００２５】
共有システム１０は、例えば、サーバの形態でもよいし、サーバと端末とを含む形態でもよい。後者の場合、前記サーバと前記端末とは、例えば、ネットワークを介して接続され、前記端末は、例えば、前述と同様である。
【００２６】
共有システム１０は、例えば、ユーザの端末からの情報を受信する受信手段を有する。
【００２７】
ユーザ情報記憶手段１１は、端末２０から受信した、ユーザのユーザ識別情報と、ユーザの睡眠関連情報と、前記各情報に関する他のユーザに対する共有の可否情報とを、関連付けて記憶する。図３に、共有システム１０の具体的な構成の一例を示す。図３は、共有システム１０のブロック図であり、ユーザ情報記憶手段１１は、ユーザのユーザ識別情報１１１と、ユーザの睡眠関連情報１１２と、前記各情報に関する他のユーザに対する共有の可否情報１１３が記憶される。
【００２８】
ユーザ識別情報１１１は、ユーザを識別するための情報であり、例えば、ユーザの氏名、ニックネーム、写真画像、イラスト画像、メールアドレス等があげられる。ユーザの睡眠関連情報１１２は、例えば、睡眠情報、睡眠に関連する行動についての周辺情報、等があげられる。前記睡眠情報は、例えば、睡眠時間（実際に寝た時間）、就寝時間（布団に入った時刻）、起床時間（布団から出た時刻）、日にち、入眠時間（眠りに落ちた時刻）、覚醒時間（目が覚めた時刻）等があげられる。前記周辺情報は、例えば、自己の睡眠についてのユーザの日誌（コメント）、就寝前の行動、摂取した飲食物、昼寝の有無とその時間等があげられる。前記各情報（ユーザ識別情報１１１、睡眠関連情報１１２）に関する他のユーザに対する共有の可否情報１１３は、ユーザ識別情報１１１に含まれる各項目、睡眠関連情報１１３に含まれる各項目について、他のユーザに対する共有を認容するか否かの情報である。共有の可否情報１１３によって、例えば、個人名等の共有を防ぎ、匿名性を担保することもできる。
【００２９】
情報提供手段１１２は、ユーザ識別情報１１１および睡眠関連情報１１２のうち前記共有可の情報を、共有情報として、前記各ユーザの端末２０に送信する手段である。
【００３０】
情報提供手段１１２による前記共有情報の送信は、例えば、いわゆるソーシャルネットワークサービス（ＳＮＳ）を利用でき、前記各端末２０への情報提供手段１１２は、例えば、ＳＮＳサーバがあげられる。共有システム１０において、例えば、ユーザ情報記憶手段１１は、ホームサーバであり、情報提供手段１２は、ＳＮＳサーバであり、前記ホームサーバに記憶された情報のうち共有情報が、前記ホームサーバから前記ＳＮＳサーバに送信され、前記ＳＮＳサーバからユーザの端末２０に送信されてもよい。
【００３１】
ユーザの端末２０は、例えば、入力手段、送信手段、表示手段を有する。前記入力手段は、例えば、前記ユーザ識別情報、睡眠関連情報および共有の可否情報等を含む様々な情報を入力するための手段であり、前記送信手段は、例えば、前記情報を共有システム１０へ送信するための手段であり、前記表示手段は、例えば、前記入力した情報および共有システム１０から送信された共有情報を表示する手段である。端末２０は、例えば、前述の通りである。前記表示手段は、例えば、前記端末における表示部である。
【００３２】
つぎに、本実施形態の睡眠関連情報共有方法について、図４を用いて説明する。図４は、前記共有方法のフローチャートである。本実施形態の共有方法は、例えば、図１〜図３に示す本実施形態の共有システム１０を用いて、次のように実施できる。なお、本実施形態の共有方法は、図１〜図３の共有システム１０の使用には限定されない。
【００３３】
（Ａ１００）受信工程
前記受信工程は、複数のユーザの端末に、ネットワークを介して接続された状態で、前記端末から、ユーザのユーザ識別情報と、前記ユーザの睡眠関連情報と、前記各情報に関する他のユーザに対する共有の可否情報とを、受信する。
【００３４】
具体的には、ユーザは、自己の端末２０から、前記ユーザ識別情報、前記睡眠関連情報、前記共有の可否情報を入力し、これらの情報を、ネットワーク３０を介して睡眠関連情報システム１０に送信する。そして、睡眠関連情報システム１０は、ネットワーク３０を介して、送信された情報を受信する。
【００３５】
（Ａ１０１）記憶工程
前記記憶工程は、記端末から受信した、ユーザのユーザ識別情報と、前記ユーザの睡眠関連情報と、前記各情報に関する他のユーザに対する共有の可否情報とを、関連付けて記憶する。
【００３６】
（Ａ１０２）情報提供工程
前記情報提供工程は、複数のユーザの端末に、ネットワークを介して接続された状態で、前記ユーザ識別情報および前記睡眠関連情報のうち前記共有可の情報を、共有情報として、前記各ユーザの端末に送信する。
【００３７】
具体的には、睡眠関連情報システム１０は、特定のユーザのユーザ識別情報および睡眠関連情報のうち、前記ユーザによって共有可とされた共有情報を、前記特定のユーザ以外が共有できる情報として、他のユーザの端末に送信する。他のユーザの端末２０は、送信された前記特定のユーザに関する共有情報を受信し、これらの情報は、例えば、端末２０の表示手段に表示され、他のユーザにも共有される。
【００３８】
本実施形態の睡眠関連情報システム１０によれば、ユーザ自身の睡眠の状況（例えば、自分が思っているよりも、実際にはよく眠れている、良い睡眠が継続できている等の利点、睡眠の時間がばらばらである、良い睡眠が継続されていない等を問題点）を把握できるだけでなく、他のユーザの睡眠の状況も知ることができる。このため、ユーザは、例えば、自己の情報だけではなく、より多くの情報から、ユーザ自身の睡眠の状況を把握できる。また、睡眠関連情報を毎日記録することは重要であるが、ユーザによっては、継続することは難しいと感じる場合がある。しかし、本実施形態の睡眠関連情報システム１０によれば、他のユーザの睡眠の状況を知ることができるため、例えば、他のユーザの結果から睡眠関連情報の記録による睡眠改善への効果を実感でき、さらに、それによって、ユーザ自身の睡眠関連情報の記録の継続を促進することができる。
【００３９】
［実施形態２］
本発明の睡眠関連情報共有システムのその他の例について、図を用いて説明する。図５は、本実施形態の共有システム４０の一例の構成を示すブロック図である。共有システム４０は、さらに、投稿情報記憶手段１３を有する以外は、前記実施形態１の共有システム１０と同様である。
【００４０】
投稿情報記憶手段１３は、前記端末から受信した、所定のユーザの共有情報に対する、前記所定のユーザのコメントおよび他のユーザのコメントを記憶する手段である。そして、情報提供手段１２は、前記共有情報として、さらに、前記所定のユーザのコメントおよび前記他のユーザのコメントを、前記各ユーザの端末に送信する。
【００４１】
投稿情報記憶手段１３によるコメントの記憶は、例えば、ＳＮＳを利用でき、投稿情報記憶手段１３は、例えば、情報提供手段１２とともに、ＳＮＳサーバがあげられる。
【００４２】
つぎに、本実施形態の睡眠関連情報共有方法について、図６を用いて説明する。図６は、前記共有方法のフローチャートである。本実施形態の共有方法は、例えば、図５に示す本実施形態の共有システム４０を用いて、次のように実施できる。なお、本実施形態の共有方法は、図５の共有システム４０の使用には限定されない。
【００４３】
（Ａ１００）ユーザ情報受信工程、（Ａ１０１）ユーザ情報記憶工程および（Ａ１０２）情報提供工程は、前記実施形態１と同様である。
【００４４】
（Ａ１０３）投稿情報記憶工程
前記投稿情報受信工程は、前記端末から受信した、所定のユーザの共有情報に対する、前記所定のユーザのコメントおよび他のユーザのコメントを記憶する。
【００４５】
具体的には、前記情報提供工程において、前述のように、特定のユーザに関する共有情報が、他のユーザと共有されると、所定のユーザおよびその他のユーザは、自身の端末２０から、その共有情報についてのコメントを入力し、その投稿情報を、ネットワーク３０を介して睡眠関連情報システム４０に送信する。そして、睡眠関連情報システム４０は、ネットワーク３０を介して、送信された投稿情報を受信する。睡眠関連情報５０は、投稿情報を受信すると、これを共有情報として、さらに、前記情報提供工程において、前記各ユーザの端末２０に送信する。
【００４６】
前記コメントは、例えば、質問、質問に対する回答、アドバイス、アドバイスに対する感想等があげられる。前記コメントは、例えば、文章でもよいし、「いいね」等のマーク等でもよい。
【００４７】
前記投稿情報記憶工程は、例えば、前記コメントを、他の情報と関連付けて記憶してもよい。具体的には、（１）前記コメントと、前記コメントの送信元のユーザの睡眠関連情報とを、関連付けて記憶してもよいし、（２）前記コメントと、前記コメントの対象である前記所定のユーザの睡眠関連情報とを、関連付けて記憶してもよいし、（３）前記コメントと、前記コメントに対するコメントとを、関連付けて記憶してもよい。
【００４８】
本実施形態によれば、前記実施形態１と同様に、所定のユーザに関する睡眠関連情報を、他のユーザが共有できるだけでなく、前記所定のユーザと前記他のユーザが、前記所定のユーザに関する共有情報に対する、前記所定のユーザのコメントおよび前記他のユーザのコメントをも、さらに共有できる。具体的には、例えば、ユーザが、自身の睡眠の状況について質問がある場合には、コメントとして共有することで、他のユーザから回答やアドバイスのコメントを得ることができる。また、他のユーザが、自身の睡眠状況から、前記特定のユーザに関する共有情報に対して、有用な情報を持っている場合には、他のユーザからアドバイスのコメントを得ることができる。また、特定のユーザに関する共通情報について、その内容が良い場合には、他のユーザから良い内容であるとの評価をコメントとして得ることができる。このため、本実施形態によれば、他のユーザの睡眠の状況を知ることができるだけでなく、所定のユーザと他のユーザとが、コメントを投稿し合うことで相互に介入することが可能になる。したがって、本実施形態によれば、自己の睡眠改善の効果を実感したり、疑問を解決でき、より良い睡眠状況の改善が可能になる。
【００４９】
［実施形態３］
本発明の睡眠関連情報共有システムのその他の例について、図を用いて説明する。図７は、本実施形態の共有システム５０の一例の構成を示すブロック図である。共有システム５０は、さらに、優先順位決定手段１４を有する以外は、前記実施形態２の共有システム４０と同様である。
【００５０】
優先順位決定手段１４は、前記所定のユーザの共有情報に対する前記コメントについて、優先順位を決定する手段である。そして、情報提供手段１２は、前記共有情報として、さらに、前記所定のユーザのコメントおよび前記他のユーザのコメントを、優先順位に基づく表示となるように、前記各ユーザの端末に送信する。優先順位に基づく表示とは、例えば、端末２０の表示手段において、優先順位の高い順から表示されることを意味する。
【００５１】
優先順位決定手段１４は、例えば、介入が必要なコメントを優先表示する場合には、前記所定のユーザの共有情報に対する前記コメントについて、その優先順位を、例えば、以下のような順序に決定することができる。優先順位は、例えば、以下のいずれか１項目のみを考慮した順でもよいし、２項目以上を考慮した順でもよく、目的に応じて、適宜決定できる。
（１）前記コメントに対するコメントが少ない順
（２）前記コメントの送信元であるユーザの前記睡眠関連情報の入力率が低下している順
（３）前記コメントの内容の深刻度が高い順
（４）前記コメントの送信元であるユーザの前記睡眠関連情報に対するコメントの必要性が高い順
【００５２】
優先順位決定手段１４は、例えば、有用なコメントを優先表示する場合には、前記所定のユーザの共有情報に対する前記コメントについて、その優先順位を、例えば、以下のような順序に決定することができる。
（５）前記コメントの送信元であるユーザの前記睡眠関連情報の有用性が高い順
【００５３】
つぎに、本実施形態の睡眠関連情報共有方法について、図８を用いて説明する。図８は、前記共有方法のフローチャートである。本実施形態の共有方法は、例えば、図７に示す本実施形態の共有システム５０を用いて、次のように実施できる。なお、本実施形態の共有方法は、図７の共有システム５０の使用には限定されない。
【００５４】
（Ａ１００）ユーザ情報受信工程、（Ａ１０１）ユーザ情報記憶工程、（Ａ１０２）情報提供工程および（Ａ１０３）投稿情報記憶工程は、前記実施形態２と同様である。
【００５５】
（Ａ１０４）優先順位決定工程
前記優先準備決定工程は、前記所定のユーザの共有情報に対する前記コメントについて、優先順位を決定する。そして、前記情報提供工程において、前記優先準備に基づく表示となるように、前記各ユーザの端末に、前記コメントを送信する。
【００５６】
具体的には、前記優先順位決定工程は、例えば、介入が必要なコメントを優先表示する場合には、前記所定のユーザの共有情報に対する前記コメントについて、その優先順位を、例えば、以下のような順序に決定することができる。優先順位は、例えば、以下のいずれか１項目のみを考慮した順でもよいし、２項目以上を考慮した順でもよく、目的に応じて、適宜決定できる。
（１）前記コメントに対するコメントが少ない順
（２）前記コメントの送信元であるユーザの前記睡眠関連情報の入力率が低下している順
（３）前記コメントの内容の深刻度が高い順
（４）前記コメントの送信元であるユーザの前記睡眠関連情報に対するコメントの必要性が高い順
【００５７】
前記（１）の場合、端末２０の表示部に、優先順位の高い順にコメントが表示され、各コメントには、そのコメントに対するコメント数が併記されてもよい。前記（２）において、入力率が低下しているとは、例えば、睡眠関連情報の入力について、アクティブ率が低下している、継続率が低下している場合等を意味する。前記（４）において、コメントの必要性が高いとは、例えば、過去のユーザ情報の学習結果から、介入が必要と判断された場合等である。
【００５８】
前記優先順位決定工程１４は、例えば、有用なコメントを優先表示する場合には、前記所定のユーザの共有情報に対する前記コメントについて、その優先順位を、例えば、以下のような順序に決定することができる。
（５）前記コメントの送信元であるユーザの前記睡眠関連情報の有用性が高い順
【００５９】
前記（５）は、例えば、不眠が改善された等の効果があったことを示す内容のコメント、ポジティブなコメント等である。有用性が高い順は、例えば、前記発信元の睡眠関連情報における睡眠状況の結果から、判断することができる。
【００６０】
本実施形態によれば、前記実施形態２と同様に、前記所定のユーザと前記他のユーザが、前記所定のユーザに関する共有情報に対する、前記所定のユーザのコメントおよび前記他のユーザのコメントを共有できるだけでなく、そのコメントを、目的に応じた優先順位の高いものから表示することができる。これによって、例えば、他のユーザからの介入が必要なユーザのコメントを優先表示することで、それに対するコメントを効率良く得ることができる。また、例えば、良い効果が得られているユーザのコメントを優先表示することで、その情報を効率良く得ることもできる。
【００６１】
［実施形態４］
本実施形態のプログラムは、前記各実施形態の睡眠関連情報共有方法を、コンピュータ上で実行可能なプログラムである。本実施形態のプログラムをコンピュータにインストールし、実効することによって、本発明の睡眠関連情報共有システムと睡眠関連情報共有方法とを実現することができる。この場合、コンピュータのＣＰＵは、例えば、各種記憶手段、および前記情報提供手段等として機能し、処理を行う。本実施形態のプログラムは、例えば、前述のようなスマートフォン、タブレット等の各種担体にダウンロードさせるアプリケーションであることが好ましい。
【００６２】
前記コンピュータは、例えば、ＣＰＵ、メインメモリ、記憶装置と、入力インターフェイス、表示コントローラ、データリーダ／ライタ、通信インターフェイスを備える。これらの各部は、バスを介して、互いにデータ通信可能に接続される。
【００６３】
ＣＰＵは、前記記憶装置に格納された、前記本実施形態のプログラム（コード）を前記メインメモリに展開し、これらを所定の順序で実行することにより、各種の演算を実施する。前記メインメモリは、一般的に、ＤＲＡＭ（Dynamic  Random  Access  Memory）等の揮発性の記憶装置である。前記プログラムは、コンピュータ読み取り可能な記録媒体に格納された状態で提供できる。前記プログラムは、例えば、前記通信インターフェイスを介して接続されたインターネット上で流通するものでもよい。
【００６４】
前記記憶装置は、例えば、ハードディスクドライブ、フラッシュメモリ等の半導体記憶装置等があげられる。前記入力インターフェイスは、ＣＰＵと入力機器との間のデータ伝送を仲介する。前記入力機器は、例えば、キーボードおよびマウス等があげられる。前記表示コントローラは、例えば、前記ディスプレイ装置と接続され、前記ディスプレイ装置での表示を制御する。
【００６５】
前記データリーダ／ライタは、ＣＰＵと記録媒体との間のデータ伝送を仲介し、前記記録媒体からの前記プログラムの読み出し、および前記コンピュータにおける処理結果の前記記録媒体への書き込みを実行する。前記通信インターフェイスは、ＣＰＵと、他のコンピュータとの間のデータ伝送を仲介する。
【００６６】
前記記録媒体は、例えば、コンピュータ読み取り可能な記録媒体であり、例えば、読み出し専用メモリ（ＲＯＭ）、ハードディスク（ＨＤ）、光ディスク、フロッピー（登録商標）ディスク（ＦＤ）等があげられる。
【００６７】
前記睡眠関連情報共有システムは、例えば、プログラムがインストールされたコンピュータでもよいし、各部に対応したハードウェアを用いて実現可能でもよい。また、前記睡眠関連情報共有システムは、例えば、一部がプログラムで実現され、残りの部分がハードウェアで実現されてもよい。
【００６８】
以上、実施形態を参照して本願発明を説明したが、本願発明は、上記実施形態に限定されるものではない。本願発明の構成や詳細には、本願発明のスコープ内で当業者が理解し得る様々な変更をすることができる。
【産業上の利用可能性】
【００６９】
本発明によれば、ユーザが自己の睡眠情報を記憶させて管理するだけでなく、ネットワークを介して、他のユーザとの間で、自己または他者の睡眠情報を共有することができる。このため、自己の睡眠情報だけでなく、例えば、他者の睡眠情報も参照することができ、より良い睡眠習慣への改善に有用である。
【符号の説明】
【００７０】
１０、４０、５０  睡眠関連情報共有システム
１１    ユーザ情報記憶手段
１３    投稿情報記憶手段
１４    優先順位決定手段
１２  表示部
１３  選択部
１４  送受信部
１５  記憶手段
２０  端末
３０  ネットワーク
【図１】
2018163620.tif 000003
【図２】
2018163620.tif 000004
【図３】
2018163620.tif 000005
【図４】
2018163620.tif 000006
【図５】
2018163620.tif 000007
【図６】
2018163620.tif 000008
【図７】
2018163620.tif 000009
【図８】
2018163620.tif 000010